【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
平面状の基材の表面側に熱膨張層を備える熱膨張性シートを膨張させて立体画像を形成させるための光熱変換画像を設定する光熱変換画像設定装置であって、
前記光熱変換画像のうち、前記熱膨張性シートを膨張させて凸状の線を形成するための線状の光熱変換画像における線の太さ情報を取得する取得部と、
前記線の太さ情報に基づいて、前記線状の光熱変換画像を前記熱膨張性シートの表面又は裏面のどちらに印刷するか、全ての前記線状の光熱変換画像について印刷面を設定する設定部と、
を備えることを特徴とする光熱変換画像設定装置。
【請求項２】
前記設定部は、前記線の太さ情報が所定値未満の場合に、前記線状の光熱変換画像が前記熱膨張性シートの表面に印刷されるように設定し、
前記線の太さ情報が前記所定値以上の場合に、前記線状の光熱変換画像が前記熱膨張性シートの裏面に印刷されるように設定する、
ことを特徴とする請求項１に記載の光熱変換画像設定装置。
【請求項３】
前記取得部は、前記線状の光熱変換画像の膨張高さ情報を取得し、
前記設定部は、前記膨張高さ情報に基づいて、前記線状の光熱変換画像を印刷するための印刷濃度を設定する、
ことを特徴とする請求項１又は２に記載の光熱変換画像設定装置。
【請求項４】
前記線状の光熱変換画像を前記熱膨張性シートのどちらの面に印刷するかの印刷面情報と、前記線状の光熱変換画像を印刷する印刷濃度の印刷濃度情報とを、前記線の太さ情報と前記膨張高さ情報ごとに対応付けて記憶する記憶部を備え、
前記設定部は、前記取得部から取得した前記線の太さ情報及び前記膨張高さ情報と、前記記憶部に記憶されている前記線の太さ情報及び前記膨張高さ情報とに基づいて、前記記憶部に記憶されている前記印刷面情報及び前記印刷濃度情報を抽出し、
抽出した前記印刷面情報及び前記印刷濃度情報に基づいて、前記線状の光熱変換画像の印刷面及び前記印刷濃度を設定する、
ことを特徴とする請求項３に記載の光熱変換画像設定装置。
【請求項５】
前記設定部は、前記線状の光熱変換画像が交点を形成する場合に、前記線の太さ情報及び前記膨張高さ情報に基づいて、当該交点を形成する全ての前記線状の光熱変換画像の印刷濃度を設定する、
ことを特徴とする請求項３に記載の光熱変換画像設定装置。
【請求項６】
請求項１から５のうちいずれか１項に記載の光熱変換画像設定装置と、
前記熱膨張性シートに前記光熱変換画像を印刷する印刷装置と、
前記光熱変換画像に光を照射して、当該光熱変換画像に対応する前記熱膨張性シートを膨張させる光照射装置と、
を備えることを特徴とする立体画像設定システム。
【請求項７】
前記印刷装置が前記光熱変換画像を印刷する印刷材料の種類に応じて、当該印刷材料の印刷濃度を補正する補正部を前記光熱変換画像設定装置に備える、
ことを特徴とする請求項６に記載の立体画像設定システム。
【請求項８】
コンピュータに、平面状の基材の表面側に熱膨張層を備える熱膨張性シートを膨張させて立体画像を形成させるための光熱変換画像を生成させる各手順を実行させるための光熱変換画像設定プログラムであって、
前記光熱変換画像のうち、前記熱膨張性シートを膨張させて凸状の線を形成するための線状の光熱変換画像の線の太さ情報を取得し、
前記線の太さ情報に基づいて、前記線状の光熱変換画像を前記熱膨張性シートに印刷するための印刷条件を全ての前記線状の光熱変換画像について設定する処理をコンピュータに行わせるための光熱変換画像設定プログラム。
【請求項９】
前記印刷条件は、前記線状の光熱変換画像を前記熱膨張性シートの表面又は裏面のどちらに印刷するかの印刷面である、
ことを特徴とする請求項８に記載の光熱変換画像設定プログラム。
【請求項１０】
前記線状の光熱変換画像の膨張高さ情報を取得し、
前記膨張高さ情報に基づいて、前記線状の光熱変換画像を印刷するための印刷濃度を設定する、
ことを特徴とする請求項９に記載の光熱変換画像設定プログラム。
【請求項１１】
前記光熱変換画像を印刷する印刷材料の種類に応じて、当該印刷材料の印刷濃度を補正する、
ことを特徴とする請求項１０に記載の光熱変換画像設定プログラム。
【請求項１２】
平面状の基材の表面側に熱膨張層を備える熱膨張性シートを膨張させて立体画像を形成させるための光熱変換画像を設定する光熱変換画像設定方法であって、
前記光熱変換画像のうち、前記熱膨張性シートを膨張させて凸状の線を形成するための線状の光熱変換画像における線の太さ情報を取得する取得ステップと、
前記線の太さ情報に基づいて、前記線状の光熱変換画像を前記熱膨張性シートの表面又は裏面のどちらに印刷するか、全ての前記線状の光熱変換画像について印刷面を設定する設定ステップ、
を含むことを特徴とする光熱変換画像設定方法。
【請求項１３】
前記取得ステップでは、前記線状の光熱変換画像の膨張高さ情報を更に取得し、
前記設定ステップにおいて、前記膨張高さ情報に基づいて前記線状の光熱変換画像を印刷するための印刷濃度を設定する、
ことを特徴とする請求項１２に記載の光熱変換画像設定方法。
【請求項１４】
平面状の基材の表面側に熱膨張層を備える熱膨張性シートを膨張させて造形物を製造する造形物製造方法であって、
前記熱膨張性シートを膨張させるための光熱変換画像のうち、凸状の線を形成するための線状の光熱変換画像における線の太さ情報を取得する取得ステップと、
前記光熱変換画像を前記熱膨張性シートに印刷する印刷ステップと、
前記印刷ステップで前記熱膨張性シートに印刷された前記光熱変換画像を加熱し、前記熱膨張層を膨張させて前記造形物を製造する加熱ステップと、を含み、
前記印刷ステップは、
前記取得ステップで取得された線の太さ情報が所定値未満の場合に、前記線状の光熱変換画像を前記熱膨張性シートの表面に印刷する第１印刷ステップと、
前記取得ステップで取得された線の太さ情報が前記所定値以上の場合に、前記線状の光熱変換画像を前記熱膨張性シートの裏面に印刷する第２印刷ステップと、を含む、
ことを特徴とする造形物製造方法。
【請求項１５】
前記取得ステップは、前記線状の光熱変換画像の膨張高さ情報を取得し、
前記印刷ステップは、前記膨張高さ情報に基づいた印刷濃度で前記線状の光熱変換画像を前記熱膨張性シートに印刷する、
ことを特徴とする請求項１４に記載の造形物製造方法。
【手続補正２】
【補正対象書類名】明細書
【補正対象項目名】発明の名称
【補正方法】変更
【補正の内容】
【発明の名称】光熱変換画像設定装置、立体画像設定システム、光熱変換画像設定プログラム、光熱変換画像設定方法および造形物製造方法
【手続補正３】
【補正対象書類名】明細書
【補正対象項目名】０００１
【補正方法】変更
【補正の内容】
【０００１】
本発明は、光熱変換画像設定装置、立体画像設定システム、光熱変換画像設定プログラム、光熱変換画像設定方法および造形物製造方法に関する。
【手続補正４】
【補正対象書類名】明細書
【補正対象項目名】０００８
【補正方法】変更
【補正の内容】
【０００８】
そこで、本発明は、光熱変換画像設定装置、立体画像設定システム、光熱変換画像設定プログラム、光熱変換画像設定方法および造形物製造方法において、手作業によらず、所望の立体画像を安定して形成可能な光熱変換画像を生成することを課題とする。
【手続補正５】
【補正対象書類名】明細書
【補正対象項目名】０００９
【補正方法】変更
【補正の内容】
【０００９】
本発明は、上記目的を達成するため、
平面状の基材の表面側に熱膨張層を備える熱膨張性シートを膨張させて立体画像を形成させるための光熱変換画像を生成する光熱変換画像設定装置であって、
前記光熱変換画像のうち、前記熱膨張性シートを膨張させて凸状の線を形成するための線状の光熱変換画像における線の太さ情報を取得する取得部と、
前記線の太さ情報に基づいて、前記線状の光熱変換画像を前記熱膨張性シートの表面又は裏面のどちらに印刷するか、全ての前記線状の光熱変換画像について印刷面を設定する設定部と、
を備えることを特徴とする光熱変換画像設定装置である。